(57)【要約】【課題】舗装止め型枠の高さと共に位置（目地位置）も調整することのできる舗装止め型枠の位置調整装置を提案する。【解決手段】本発明の位置調整装置は、固定ピンＰにより路面Ｒに固定される固定体１０と、路面Ｒと平行にスライド可能なように固定体１０に組み付けられた可動体２０と、固定体１０に対する可動体２０の相対位置を調整する調整手段４０と、該調整手段４０による位置調整後の可動体２０を固定体１０に固定する固定手段３０と、可動体２０と共に動作して位置調整され、少なくとも上下二つの型枠材ＵＷ，ＬＷを支持する型枠支持手段５０と、を備え、型枠支持手段５０は、型枠材の側面ＵＷ，ＬＷを支持する支持壁部材５１と、この支持壁部材５１に高さ調整可能に取り付けられて上側の型枠材ＵＷを載置する載置部材５２と、を含むことを特徴とする。【選択図】図１
2006233562.tif 000002
【特許請求の範囲】
【請求項１】
固定ピンにより路面に固定される固定体と、
路面と平行にスライド可能なように前記固定体に組み付けられた可動体と、
前記固定体に対する前記可動体の相対位置を調整する調整手段と、
該調整手段による位置調整後の前記可動体を前記固定体に固定する固定手段と、
前記可動体と共に動作して位置調整され、少なくとも上下二つの型枠材を支持する型枠支持手段と、を備え、
前記型枠支持手段は、型枠材の側面を支持する支持壁部材と、該支持壁部材に高さ調整可能に取り付けられて上側の型枠材を載置する載置部材と、を含むことを特徴とする舗装止め型枠の位置調整装置。
【請求項２】
前記可動体は、路面に突き立てる固定ピンを通すための開口を有し、路面上に置いてスライドさせる底板部材と、該底板部材上に設けられた側板部及び天板部を持ち、その天板部にスライド方向へ長径の長孔及び前記固定手段用の固定孔を有する箱形部材と、を含み、
前記固定体は、前記可動体の箱形部材天板部に載置され、前記可動体の開口及び長孔を通して路面に突き立てられる固定ピンを挿通させ保持する筒部、前記固定手段用の固定長孔及び前記調整手段を取り付ける垂下壁部を有する固定板部材を含むことを特徴とする請求項１記載の位置調整装置。
【請求項３】
前記固定手段は、前記可動体の固定孔及び前記固定体の固定長孔に通されて締め上げるボルト・ナットであることを特徴とする請求項２記載の位置調整装置。
【請求項４】
前記調整手段は、前記固定体の垂下壁部に貫通した螺合孔を通して前記可動体の箱形部材側板部に当接するボルトであることを特徴とする請求項２又は請求項３記載の位置調整装置。
【請求項５】
前記型枠支持手段は、前記可動体の底板部材上に載置した下側の型枠材の側面を支持するように前記支持壁部材が前記底板部材に立設されていることを特徴とする請求項２〜４のいずれか１項に記載の位置調整装置。
【請求項６】
前記固定体の筒部は、保持した固定ピンを側面から締め付けるボルトを螺合させられるようにしてあることを特徴とする請求項２〜５のいずれか１項に記載の位置調整装置。
【請求項７】
請求項１〜６のいずれか１項に記載の位置調整装置を使用したコンクリート舗装止め型枠の位置調整方法であって、
前記固定体と前記可動体を組み付けると共に前記固定体を固定ピンにより路面に固定する工程と、
型枠材を前記型枠支持手段に配置する工程と、
前記調整手段により前記可動体の位置を調整して型枠材を目地位置に一致させてから前記固定手段により前記可動体を前記固定体へ固定する工程と、
前記型枠支持手段の載置部材を高さ調整することにより型枠材の高さを調整する工程と、
コンクリート打設後に、前記調整手段により前記可動体の位置を再調整して型枠材を目地位置に一致させ、そして前記固定手段により前記可動体を前記固定体に再固定する工程と、を実施することを特徴とする位置調整方法。
【発明の詳細な説明】
【技術分野】
【０００１】
本発明は、コンクリートやアスファルト等の舗装における施工目地等に適用される舗装止め型枠の位置を調整するための装置と方法に関する。
【背景技術】
【０００２】
コンクリート舗装の施工においては、敷均機械の故障や天候の悪化による工事中断、あるいは一日分の工程終了に際し、舗装の打止め作業が必要とされ、この舗装打止め作業で施工目地が形成される。施工目地は設計上必要ではないが、工事を中断する時に必ず必要とされ、予め決められた所定の位置に設けなければならない。施工目地が所定位置からずれてしまうと、クラック発生や平坦性低下といった不具合を生じる可能性があり、施工目地の位置はコンクリート舗装の品質を確保するための重要な要素となっている。このような施工目地に適用される舗装止め型枠としては、特許文献１〜３に開示されるものなどが利用されている。
【０００３】
【特許文献１】実開昭５９−０８４００７号
【特許文献２】実開昭６１−０９３５０４号
【特許文献３】実開昭６１−０９３５０５号
【発明の開示】
【発明が解決しようとする課題】
【０００４】
上記特許文献に示された舗装止め型枠は、固定ピンにより位置決めされて路面に固定されるもので、型枠の高さを調整可能になっている点に特徴がある。しかし、型枠の路面上の位置、すなわち水平方向の位置を調整することができるようにはなっておらず、打設したコンクリートに押されて型枠がずれてしまうとこれを簡単に修正する手段が無く、したがって、設置に相当な神経を使い、手間と労力が大きい。舗装止め型枠の位置がずれてしまうと、上述のように予期せぬ箇所にクラックが生じ得るので、型枠の位置決めは非常に重要である。
【０００５】
そこで本発明は、舗装止め型枠の高さと共に位置も調整することのできる舗装止め型枠の位置調整装置とその位置調整方法を提案する。
【課題を解決するための手段】
【０００６】
本発明の舗装止め型枠の位置調整装置は、固定ピンにより路面に固定される固定体と、路面と平行（厳密に平行である必要はなく、見た目に平行な程度で良い）にスライド可能なように固定体に組み付けられた可動体と、固定体に対する可動体の相対位置を調整する調整手段と、該調整手段による位置調整後の可動体を固定体に固定する固定手段と、可動体と共に動作して位置調整され、少なくとも上下二つの型枠材を支持する型枠支持手段と、を備え、型枠支持手段は、型枠材の側面を支持する支持壁部材と、この支持壁部材に高さ調整可能に取り付けられて上側の型枠材を載置する載置部材と、を含むことを特徴とする。
【０００７】
この位置調整装置によれば、まず、少なくとも上下二つの型枠材を使用し、その上側の型枠材を高さ調整可能な型枠支持手段の載置部材に載置することにより、上下型枠材間の間隔を変化させて型枠の高さを調整することを可能にしている。したがって、コンクリート等の舗装の厚さに合わせて型枠を作成する手間がかからず、現場で適切に高さ調整することができる。
【０００８】
さらに、型枠材を支持する型枠支持手段が可動体と共に動作して位置調整（水平方向の調整）を行えるようになっているので、コンクリート打設前の設置時点で、固定ピンにより固定してからでも型枠の位置を簡単且つ正確に調整することができ、ピン止めだけに頼っていた従来技術に比べ格段に作業が楽である。そして、コンクリート打設後にあっては、打設したコンクリートの圧力で型枠の位置がずれたとしても、調整手段により可動体の位置を調整し直すことで型枠支持手段とこれに支持された型枠材の位置を元の位置へ再調整することができる。すなわち、ピン止めだけの従来技術では出来なかったコンクリート打設後における位置の再調整を実現している。
【０００９】
このような本発明の可動体は、具体的には、路面に突き立てる固定ピンを通すための開口を有し、路面上に置いてスライドさせる底板部材と、該底板部材上に設けられた側板部及び天板部を持ち、その天板部にスライド方向へ長径の長孔及び固定手段用の固定孔を有する箱形部材と、を含むものとすることができる。そしてこの場合の固定体は、可動体の箱形部材天板部に載置され、可動体の開口及び長孔を通して路面に突き立てられる固定ピンを挿通させ保持する筒部、固定手段用の固定長孔及び調整手段を取り付ける垂下壁部を有する固定板部材を含むものとすることができる。さらにこの場合、固定手段は、可動体の固定孔及び固定体の固定長孔に通されて締め上げるボルト・ナット、また調整手段は、固定体の垂下壁部に貫通した螺合孔を通して可動体の箱形部材側板部に当接するボルトとすることができ、簡単な機構で済ませられる。
【００１０】
また、型枠支持手段は、可動体の底板部材上に載置した下側の型枠材の側面を支持するように支持壁部材が可動体の底板部材に立設されているものとしておくのが良い。これによると、可動体の底板部材が上下二つの型枠材を載せたソリのような役割を担ってスライドし、型枠材の位置調整をより行いやすくなる。
【００１１】
固定体の筒部は、保持した固定ピンを側面から締め付けるボルトを螺合させられるようにしてあると、固定ピンの太さに多少ばらつきがあっても、そのボルトの締め付けによりがたつきを防止することができるので好ましい。
【００１２】
上記の位置調整装置を使用した本発明に係るコンクリート舗装止め型枠の位置調整方法は、固定体と可動体を組み付けると共に固定体を固定ピンにより路面に固定する工程と、型枠材を型枠支持手段に配置する工程と、調整手段により可動体の位置を調整して型枠材を目地位置に一致させてから固定手段により可動体を固定体へ固定する工程と、型枠支持手段の載置部材を高さ調整することにより型枠材の高さを調整する工程と、コンクリート打設後に、調整手段により可動体の位置を再調整して型枠材を目地位置に一致させ、そして固定手段により可動体を固定体に再固定する工程と、を実施することを特徴とする。すなわち、コンクリート打設前の簡単且つ正確な位置調整と、コンクリート打設後の位置再調整とを実現している。
【発明の効果】
【００１３】
本発明の位置調整装置によれば、路面に固定される固定体と路面上をスライド可能な可動体とを組み合わせ、その可動体で型枠支持手段を動作させて位置調整することを可能としている。これにより、コンクリート等の施工前に、型枠の正確な位置調整、もしくはコンクリートの過不足に応じた位置の微調整までも簡単に行え、そしてさらに、コンクリート等の施工後には、施工時の圧力で発生した位置ずれを修正し、正確な目地位置への再調整を行うことが可能となり、作業性の向上や舗装品質の向上に大きく貢献する。
【００１４】
また加えて、本発明に係る型枠支持手段は型枠の高さ調整を可能にしており、舗装の厚さに合わせて現場で調整することが簡単にでき、厚さに合わせて型枠を作成する手間がかからないので、作業性向上及び施工のコストダウンに貢献する。
【発明を実施するための最良の形態】
【００１５】
本発明の好適な実施形態につき、図１〜図４を参照して説明する。なお、図４は、図１〜図３に示す位置調整装置を多数並列にしてコンクリート舗装に使用した施工例である。
【００１６】
この例の舗装止め型枠の位置調整装置は、固定ピンＰにより路面Ｒへ固定される固定体１０に、路面Ｒと平行に（路面Ｒに沿って）スライド可能な可動体２０を組み付けて構成されている。図示の例では、固定体１０が可動体２０の上に載っている構成であるが、これら固定体と可動体の上下関係を逆とした形態も可能である。
【００１７】
固定体１０は、可動体２０上に載置される固定板部材１１を備えた構成で、この固定板部材１１に、固定ピンＰを挿通させ保持する筒部１２と、固定手段３０を通すための固定長孔１３と、調整手段４０を取り付けるための垂下壁部１４と、が形成されている。
【００１８】
筒部１２は、固定板部材１１の上面に突設された煙突状で、固定ピンＰとほぼ同径の内径を有する。そして、内部に保持した固定ピンＰを側面から締め付けてがたつきを防止するボルト１５を螺合させられるように、ナット１６を溶接した螺合孔を貫通形成してある。本例の場合さらに、ボルト１５を囲うように“コ”字状のガード板１７を溶接等で立設している。固定長孔１３は、可動体２０のスライド方向に長径として固定板部材１１に開けられており、可動体２０と一緒に移動する固定手段３０が長径方向へスライドできるようになっている。垂下壁部１４は、固定板部材１１の後端を折り曲げる、あるいは後端に板材を溶接するなどの手法により、下方へ垂れ下がるように形成されている。そして、調整手段４０を螺合させて貫通させるため、ナット１８を溶接して螺合孔を形成してある。
【００１９】
さらに、本例の固定板部材１１の場合、左右の側端にも全長にわたって垂下壁部１９が形成されており、可動体２０を左右から包み込む“コ”字状が形成されている。この“コ”字状とすることにより、可動体２０のスライドガイドの役割を持たせることができる。
【００２０】
可動体２０は、路面Ｒ上に置いてスライドさせる底板部材２１と、この底板部材２１上に形成された箱形部材２２と、を備えている。
【００２１】
底板部材２１は、固定ピンＰを通すための開口２３が広く開けられており、ここを通して固定ピンＰが路面Ｒに突き立てられると共に、底板部材２１をスライドさせられるようになっている。そして、この開口２３を覆い隠すようにして、箱形部材２２が形成されている。箱形部材２２は、底板部材２１の上面に四辺の側板部２４を溶接等にて立設した上に、蓋をするように天板部２５を被せて溶接等することで形成されている。その天板部２５には、スライド方向（図中前後方向）へ長径の長孔２６が開けられ、固定ピンＰを通した後にスライドさせられるようになっている。また天板部２５には、固定手段３０を通すための固定孔２７が開けられている。
【００２２】
固定手段３０は、可動体２０の固定孔２７及び固定体１０の固定長孔１３に通されて締め上げるボルト３１及びナット３２から構成されている。本例の場合、ナット３２が箱形部材２２の天板部２５裏面に溶接されて固定孔２７に対し固定してあり、したがって、固定長孔１３及び固定孔２７を通しボルト３１をナット３２にねじ込むことで、固定体１０及び可動体２０が締め上げられ、相対的に動かないように固定される。すなわち固定手段３０により、調整手段４０による位置調整後の可動体２０を、動かないように固定体１０に固定することができる。
【００２３】
調整手段４０は、螺合孔をなすナット１８に螺合して垂下壁部１４を貫通し、先端が箱形部材２２における後端の側板部２４に当接するボルト４１から構成される。当該ボルト４１を締め込むことで可動体２０を固定体１０に対し相対的にスライドさせることができ、またそのスライドさせて調整した位置を維持することができる。なお、その調整位置を維持する補助として、図示せぬロックナットをボルト４１に螺合させておくこともできる。
【００２４】
本例の型枠支持手段５０は、可動体２０の底板部材２１上面にフランジ部を溶接する等して立設した支持壁部材５１を備え、この支持壁部材５１に載置部材５２を高さ調整可能に取り付けて構成されている。具体的には、支持壁部材５１の所定個所に開けた上下方向に長径の調整長孔５３を通して、板状の載置部材５２に形成したフランジ部をボルト・ナット５４で締め上げる構成である。
【００２５】
支持壁部材５１は、底板部材２１の前端から若干奥まった位置に立設されており、底板部材２１の上に載置した下側型枠材ＬＷの側面を支持する。そして、この支持壁部材５１に取り付けられた載置部材５２に上側型枠材ＵＷが載置され、該上側型枠材ＵＷの側面を支持壁部材５１が支持する。これによると、上下二つの型枠材ＵＷ，ＬＷを底板部材２１に載せて動かす格好となり、底板部材２１がソリのような役割を担ってスライドし、型枠材ＵＷ，ＬＷの位置調整を行いやすい。
【００２６】
上下型枠材ＵＷ，ＬＷを合わせた全体の高さ調整は、ボルト・ナット５４を緩めて調整長孔５３内を上下させることで行える。すなわち、載置部材５２の高さを調整して上下型枠材ＵＷ，ＬＷ間の間隔を変化させることで、現場にて型枠全体の高さを調整する。したがって、コンクリート舗装Ｃの厚さに合わせて型枠を作成する手間がかからず、現場で適切に高さ調整することができる。
【００２７】
さらに、この型枠支持手段５０は、支持壁部材５１を底板部材２１に立設することで可動体２０と一体的に形成されているので、可動体２０と共に動作して位置調整を行えるようになっている。したがって、固定ピンＰにより固定体１０をピン止めしてからでも、調整手段４０を回転させることにより可動体２０をスライドさせれば、型枠材ＵＷ，ＬＷからなる型枠の位置を調整することができ、ピン止めだけに位置決めを頼っていた従来技術に比べ格段に作業が楽である。さらに、打設したコンクリートＣの圧力で型枠材ＵＷ，ＬＷの位置がずれたとしても、調整手段４０を回転させて可動体２０の位置を調整し直すことで、型枠支持手段５０とこれに支持された型枠材ＵＷ，ＬＷの位置を元の位置へ再調整することができる。すなわち、ピン止めだけでは出来なかったコンクリート打設後における位置の再調整を実現できる。
【００２８】
上記の位置調整装置を使用したコンクリート舗装止め型枠の位置調整方法は、次のような工程順となる。
【００２９】
（１）可動体２０の箱形部材２２に固定体１０を被せるようにして組み付けると共に、固定体１０を固定ピンＰにより路面Ｒに固定する。固定ピンＰは、筒部１２、長孔２６、開口２３を通って路面Ｒに突き立てられ、ボルト１５で側面を締め付けられて筒部１２に保持される。
【００３０】
（２）下側型枠材ＬＷを底板部材２１の上に載置すると共に、上側型枠材ＵＷを載置部材５２の上に載置することで、型枠支持手段５０に型枠を配置する。
【００３１】
（３）調整手段４０を締め込んで、型枠材ＵＷ，ＬＷが施工目地位置に設置されるように可動体２０の位置を調整し、固定手段３０で締め上げて可動体２０を固定体１０へ固定する。
【００３２】
（４）型枠支持手段５０の載置部材５２を上下させることにより、コンクリート舗装Ｃの仕上がり厚と一致するように、上側型枠材ＵＷの高さを調整する。
【００３３】
（５）コンクリートＣを打設する。
【００３４】
（６）コンクリート打設後、調整手段４０により可動体２０の位置を調整し、型枠材ＵＷ，ＬＷが目地位置に一致するように再調整する。そして、固定手段３０を締め上げて可動体２０を固定体１０へ再固定する。
【００３５】
以上の工程によれば、コンクリート打設前の簡単且つ正確な目地位置調整と、コンクリート打設後の目地位置再調整とが実現されている。
【００３６】
従来の工法によれば、型枠が金属製であったりすると、打設時に敷均機械により仕上げを行うときに型枠の天端が敷均機械のスクリードと接触し、型枠が破損してしまう可能性があるため、わざと敷均機械を型枠の手前で停止させて、残りのコンクリートを人の手で敷き詰めたり、あるいは、型枠の高さを仕上げ厚よりもわざと低く作成してスクリードと当たらないようにしておいて、敷均機械通過後に、はみ出しコンクリートをはつってから不足分の高さ型枠を継ぎ足し、そして人手で残りのコンクリートを施工するという対処法をとっていた。このために、かなりの手間と労力、時間を要する結果となっていた。
【００３７】
これに対し、本発明によれば、型枠支持手段５０の支持壁部材５１の上端よりも上に、上側型枠材ＵＷの上面を突出させられるので（図１参照）、長尺棒状の木製型枠ＵＷが最上面に位置し、スクリードとの接触に問題となることがない。したがって、予め仕上がり厚通りに型枠高さを設定することが可能であり、従来工法のような手間、時間をかける必要がなくなる。
【図面の簡単な説明】
【００３８】
【図１】本発明に係る位置調整装置の側面図。
【図２】図１に示す位置調整装置を上から見た平面図。
【図３】図１に示す位置調整装置を前端から見た端面図。
【図４】図１に示す位置調整装置を多数使用して型枠を設置した施工例を示す図。
【符号の説明】
【００３９】
１０  固定体
１１  固定板部材
１２  筒部
１３  固定長孔
１４  垂下壁部
１５  ボルト
１６，１８  ナット
２０  可動体
２１  底板部材
２２  箱形部材
２３  開口
２４  側板部
２５  天板部
２６  長孔
２７  固定孔
３０  固定手段
３１  ボルト
３２  ナット
４０  調整手段
４１  ボルト
５０  型枠支持手段
５１  支持壁部材
５２  載置部材
５３  調整長孔
５４  ボルト・ナット
ＵＷ  上側型枠材
ＬＷ  下側型枠材
Ｐ  固定ピン
【図１】
2006233562.tif 000003
【図２】
2006233562.tif 000004
【図３】
2006233562.tif 000005
【図４】
2006233562.tif 000006